(57)【要約】      （修正有）【課題】メモリの利用効率を低下させないようにチャンネルリストを作成するテレビ受像装置およびチャンネルリスト作成方法を提供する。【解決手段】チャンネルスキャン部１０２により抽出された物理チャンネル、サービスＩＤ、リモコンＩＤに対応する操作ボタンに割り付けられたチャンネル番号をそれぞれ対応付けてチャンネルリストとしてメモリ部１０３は記憶する。チャンネルリスト作成部１０４は、チャンネルスキャン部１０２により抽出されたチャンネル情報の中にサービスＩＤが一致するチャンネル情報が複数存在すると判断した場合、受信レベル（または放送波の受信品質）に基づいて、いずれか一つのチャンネル情報を決定し、決定したチャンネル情報に含まれる物理チャンネル、サービスＩＤ、およびチャンネル番号を対応付けてメモリ部１０３に記憶させる。【選択図】図１
2006295398.tif 000002
【特許請求の範囲】
【請求項１】
複数の放送波を受信する受信手段と、
前記受信手段により受信された放送波の周波数を示す周波数情報、前記放送波に含まれ、前記放送波に多重化されている番組データを識別する識別情報、前記放送波に含まれ、視聴者による番組視聴時に前記識別情報に対応した番組データを指定するための操作ボタンを特定するボタン情報、および受信した放送波の状態を示す状態情報を、前記受信手段により受信された放送波の周波数情報ごとにチャンネル情報として抽出するチャンネルスキャン手段と、
前記チャンネルスキャン手段により抽出された周波数情報、識別情報を、前記チャンネルスキャン手段により抽出されたボタン情報に対応する操作ボタンに割り付けられたチャンネル番号に、それぞれ対応付けてチャンネルリストとして記憶する記憶手段と、
前記チャンネルスキャン手段により抽出されたチャンネル情報の中に識別情報が一致するチャンネル情報が複数存在すると判断した場合、前記チャンネルスキャン手段により抽出された状態情報に基づいて、いずれか一つのチャンネル情報を決定し、決定したチャンネル情報に含まれている周波数情報、および識別情報を、ボタン情報に対応する操作ボタンに割り付けられたチャンネル番号に、それぞれ対応付けてチャンネルリストとして前記記憶手段に記憶させるよう前記記憶手段を制御する制御手段と、
を備えるテレビ受像装置。
【請求項２】
前記制御手段は、
前記チャンネルスキャン手段により抽出されたチャンネル情報の中にボタン情報が一致するチャンネル情報が複数存在するか否かを判断し、ボタン情報が一致するチャンネル情報が複数存在すると判断した場合、ボタン情報が一致すると判断されたチャンネル情報に基づいて識別情報が一致するチャンネル情報が複数存在するか否かを判断する
ことを特徴とする請求項１に記載のテレビ受像装置。
【請求項３】
放送波の周波数を示す周波数情報、前記放送波に含まれ、前記放送波に多重化されている番組データを識別する識別情報を、番組データを指定するための操作ボタンに割り付けられたチャンネル番号に、それぞれ対応付けてチャンネルリストとして記憶する記憶手段を有するテレビ受像装置のチャンネルリスト作成方法において、
複数の放送波を受信する受信ステップと、
前記受信ステップにより受信された周波数情報、識別情報、操作ボタンを特定するボタン情報、および受信した放送波の状態を示す状態情報を、前記受信ステップにより受信された放送波の周波数情報ごとにチャンネル情報として抽出するチャンネルスキャンステップと、
前記チャンネルスキャンステップにより抽出された周波数情報、および識別情報を、ボタン情報に対応する操作ボタンに割り付けられたチャンネル番号に、それぞれ対応付けてチャンネルリストとして前記記憶手段に記憶する記憶ステップと、
前記チャンネルスキャンステップにより抽出されたチャンネル情報の中に識別情報が一致するチャンネル情報が複数存在すると判断した場合、前記チャンネルスキャンステップにより抽出された状態情報に基づいて、いずれか一つのチャンネル情報を決定し、決定したチャンネル情報に含まれている周波数情報、および識別情報を、ボタン情報に対応する操作ボタンに割り付けられたチャンネル番号に、それぞれ対応付けてチャンネルリストとして前記記憶手段に記憶させるチャンネルリスト作成ステップと、
を備えるテレビ受像装置のチャンネルリスト作成方法。
【発明の詳細な説明】
【技術分野】
【０００１】
本発明は、複数の放送周波数の放送波で放送される番組データを受信するテレビ受像装置およびチャンネルリスト作成方法に関する。
【背景技術】
【０００２】
地上波デジタル放送では、複数の周波数の放送波を用いて、各種番組データが放送される。この地上波デジタル放送を受信することができるテレビ受像装置は、番組データを受信するのに先立って、受信できる周波数を記憶する処理を行うことができる。例えば、特許文献１に記載のデジタル放送受信方法では、受信できる番組データをチャンネルリストとして、放送波の周波数を示す周波数情報とチャンネル番号とを対応付けて記憶することができる。
【特許文献１】特開２００１−１９７０２５号公報
【発明の開示】
【発明が解決しようとする課題】
【０００３】
ここで、特許文献１にも記載されているように、地上波デジタル放送では、地域ごとに放送されている番組データが異なっており、また地域によっては、周波数をかえて同じサービスＩＤで特定される同じ番組データが放送される場合がある。
【０００４】
一方、地上波デジタル放送を受信することができるテレビ受像装置を登載する移動機などの携帯端末が、近年考えられている。このような携帯端末では、あらゆる地域の移動先で地上波デジタル放送を受信することができる。よって、地域ごとに地上波デジタル放送における放送波の放送周波数を抽出して、物理チャンネルおよびサービスＩＤとチャンネル番号とを対応付けたチャンネルリストを作成しておくことが好ましい。
【０００５】
しかしながら、携帯端末は、あらゆる地域に移動することができ、放送範囲である一の地域とこの一の地域とは別の地域との境界線（複数の地域の放送波を受信できる範囲）でチャンネルリストを作成しようとする場合が想定される。この場合、携帯端末は、異なる物理チャンネルのそれぞれでサービスＩＤが一致する番組データを含んだ放送波を受信し、異なる物理チャンネルのそれぞれでサービスＩＤが一致するチャンネルリストを作成する場合がある。
【０００６】
この携帯端末において、一の物理チャンネルに対応付けられたサービスＩＤと一致する他の物理チャンネルのサービスＩＤを含んだ放送波を受信することは、一の物理チャンネルで放送されている番組データと同じ番組データを他の物理チャンネルで受信することになる。よって、チャンネルリストの中に重複して同じサービスＩＤを複数記憶することは、メモリの利用効率を低下させる。また、同じサービスＩＤを複数記憶することは、チャンネルリストを使用する際に、ユーザに混乱を起こさせる場合がある。さらに、複数の物理チャンネルにおいて、リモコンＩＤおよびサービスＩＤが重複して複数存在している場合、どの物理チャンネルをチャンネル番号に割り付けるか、という問題もある。
【０００７】
そこで、本発明は、異なる物理チャンネルのそれぞれにおいてサービスＩＤなどの識別情報が一致している放送波を受信した場合でも、メモリの利用効率を低下させず、使い勝手の良いチャンネルリストを作成することができるテレビ受像装置およびチャンネルリスト作成方法を提供することを目的とする。
【課題を解決するための手段】
【０００８】
上述の課題を解決するため、本発明のテレビ受像装置は、複数の放送波を受信する受信手段と、前記受信手段により受信された放送波の周波数を示す周波数情報、前記放送波に含まれ、前記放送波に多重化されている番組データを識別する識別情報、前記放送波に含まれ、視聴者による番組視聴時に前記識別情報に対応した番組データを指定するための操作ボタンを特定するボタン情報、および受信した放送波の状態を示す状態情報を、前記受信手段により受信された放送波の周波数情報ごとにチャンネル情報として抽出するチャンネルスキャン手段と、前記チャンネルスキャン手段により抽出された周波数情報、識別情報を、チャンネルスキャン手段により抽出されたボタン情報に対応する操作ボタンに割り付けられたチャンネル番号に、それぞれ対応付けてチャンネルリストとして記憶する記憶手段と、前記チャンネルスキャン手段により抽出されたチャンネル情報の中に識別情報が一致するチャンネル情報が複数存在すると判断した場合、前記チャンネルスキャン手段により抽出された状態情報に基づいて、いずれか一つのチャンネル情報を決定し、決定したチャンネル情報に含まれている周波数情報、および識別情報を、ボタン情報に対応した操作ボタンに割り付けられたチャンネル番号に、それぞれ対応付けてチャンネルリストとして前記記憶手段に記憶させるよう前記記憶手段を制御する制御手段と、を備えている。
【０００９】
また、本発明のチャンネルリスト作成方法は、放送波の周波数を示す周波数情報、前記放送波に含まれ、前記放送波に多重化されている番組データを識別する識別情報を、番組データを指定するための操作ボタンに割り付けられたチャンネル番号に、それぞれ対応付けてチャンネルリストとして記憶する記憶手段を有するテレビ受像装置のチャンネルリスト作成方法において、複数の放送波を受信する受信ステップと、前記受信ステップにより受信された周波数情報、識別情報、操作ボタンを特定するボタン情報、および受信した放送波の状態を示す状態情報を、前記受信ステップにより受信された放送波の周波数情報ごとにチャンネル情報として抽出するチャンネルスキャンステップと、前記チャンネルスキャンステップにより抽出された周波数情報、および識別情報を、チャンネルスキャンステップにより抽出されたボタン情報に対応する操作ボタンに割り付けられたチャンネル番号に、それぞれ対応付けてチャンネルリストとして前記記憶手段に記憶する記憶ステップと、前記チャンネルスキャンステップにより抽出されたチャンネル情報の中に識別情報が一致するチャンネル情報が複数存在すると判断した場合、前記チャンネルスキャンステップにより抽出された状態情報に基づいて、いずれか一つのチャンネル情報を決定し、決定したチャンネル情報に含まれている周波数情報、および識別情報を、ボタン情報に対応する操作ボタンに割り付けられたチャンネル番号に、それぞれ対応付けてチャンネルリストとして前記記憶手段に記憶させるチャンネルリスト作成ステップと、を備えている。
【００１０】
この発明によれば、受信された放送波の周波数を示す周波数情報、放送波に含まれ、放送波に多重化されている番組データを識別する識別情報、放送波に含まれ、視聴者による番組視聴時に識別情報に対応した番組データを指定するための操作ボタンを特定するボタン情報、および受信した放送波の状態を示す状態情報を、受信された放送波の周波数情報ごとにチャンネル情報として抽出し、抽出された周波数情報、および識別情報を、ボタン情報に対応する操作ボタンに割り付けられたチャンネル番号に、それぞれ対応付けてチャンネルリストとして記憶し、抽出されたチャンネル情報の中で識別情報が一致するチャンネル情報が抽出された場合、抽出された状態情報に基づいて、いずれか一つのチャンネル情報を決定して、このチャンネル情報に含まれている周波数情報、および識別情報を、ボタン情報に対応する操作ボタンに割り付けられたチャンネル番号に、それぞれ対応付けてチャンネルリストとして記憶することができる。これにより、周波数情報、および識別情報を、ボタン情報に対応する操作ボタンに割り付けられたチャンネル番号に、それぞれ対応付けたチャンネルリストを登録することで、ユーザはこのチャンネルリストを利用することができ、番組選局時における操作性を向上させることができる。さらに、放送波に含まれる識別情報がそれぞれ重複して抽出された場合、状態情報に基づいて適切な識別情報の一つを登録することができ、重複した情報の登録を防止することができ、ユーザによるチャンネル管理を容易なものとすることができる。
【００１１】
また、本発明のテレビ受像装置の前記制御手段は、前記チャンネルスキャン手段により抽出されたチャンネル情報の中にボタン情報が一致するチャンネル情報が複数存在するか否かを判断し、ボタン情報が一致するチャンネル情報が複数存在すると判断した場合、ボタン情報が一致すると判断されたチャンネル情報に基づいて識別情報が一致するチャンネル情報が複数存在するか否かを判断することが好ましい。
【００１２】
この発明によれば、識別情報が一致するチャンネル情報が複数存在するか否かを判断することに先立って、ボタン情報が一致するチャンネル情報が複数存在するか否かを判断して、ボタン情報が一致するチャンネル情報が複数存在すると判断した場合、ボタン情報が一致すると判断されたチャンネル情報に基づいて識別情報が一致するチャンネル情報が複数存在するか否かを判断するものである。これにより、ボタン情報が一致しているチャンネル情報が複数存在している場合は、さらに識別情報が重複していないか否かを判断することで、ボタン情報および識別情報が重複したチャンネル情報が登録されることを防止することができる。
【発明の効果】
【００１３】
この発明は、周波数情報、および識別情報を、ボタン情報に対応する操作ボタンに割り付けられたチャンネル番号に、それぞれ対応付けてチャンネルリストを登録することで、ユーザはこのチャンネルリストを利用することができ、番組選局時における操作性を向上させることができる。さらに、放送波に含まれる識別情報がそれぞれ重複して抽出された場合、状態情報に基づいて適切な識別情報の一つを登録することができ、重複した情報の登録を防止することができ、ユーザによるチャンネル管理を容易なものとすることができる。
【発明を実施するための最良の形態】
【００１４】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１５】
図１は、本実施形態の移動機１００のブロック構成図である。移動機１００は、公衆無線網を介して通話またはデータ通信を行うことができる携帯端末であって、テレビ受像機能として、チューナ部１０１（受信手段）、アンテナ部１０１ａ、チャンネルスキャン部１０２（チャンネルスキャン手段）、メモリ部１０３（記憶手段）、チャンネルリスト作成部１０４（制御手段）、表示部１０８、操作部１０９を含んで構成されている。さらに、チャンネルリスト作成部１０４は、リモコンＩＤ判断部１０５、サービスＩＤ判断部１０６、受信レベル判断部１０７を含んで構成されている。以下、各構成要素について説明する。
【００１６】
チューナ部１０１は、アンテナ部１０１ａを備え、アンテナ部１０１ａを介して地上波デジタル放送などによる放送波を受信する受信回路である。
【００１７】
チャンネルスキャン部１０２は、チューナ部１０１により受信された放送波の周波数を示す周波数情報である物理チャンネル、放送波に多重化されている番組データを識別する識別情報であるサービスＩＤ、視聴者による番組視聴時に前記識別情報に対応した番組データを指定するための操作ボタン（例えば、リモコンのワンタッチボタン）を特定するボタン情報であるリモコンＩＤ、および放送波の状態を示す状態情報を、物理チャンネルごとにそれぞれ抽出する部分である。なお、状態情報は、例えば、電界強度を示す受信レベルまたは放送波の品質を示す受信品質（例えば、Ｃ／Ｎ値：搬送波電力対雑音電力比）などであって、受信した放送波に基づいた番組データをどの程度品質良く表示することができるかを示すパラメータ情報である。
【００１８】
具体的には、チャンネルスキャン部１０２は、ＵＨＦ帯の１３チャンネルから６２チャンネルまでの物理チャンネルで特定される放送波を順次スキャンして、物理チャンネルごとにサービスＩＤおよびリモコンＩＤを抽出する。また、チャンネルスキャン部１０２は、チューナ部１０１で受信した放送波の電界強度である受信レベルを計測して放送波の状態情報を得る。なお、チャンネルスキャン部１０２は、放送波の品質を示す受信品質を計測して放送波の状態情報を得るようにしても良い。そして、チャンネルスキャン部１０２は、抽出した物理チャンネル、サービスＩＤ、リモコンＩＤ、および状態情報（受信レベルまたは受信品質）をメモリ部１０３に一時的にチャンネル情報として記憶させる。チャンネルスキャン部１０２は、スキャン終了後、チャンネルリスト作成部１０４にチャンネルリストを作成するよう指示を出力する。なお、以下に説明するテレビ受像装置およびその動作などにおいて、放送波の状態情報の一例である「受信レベル」を用いて説明する。
【００１９】
また、リモコンＩＤおよびサービスＩＤの詳細な定義は次のとおりとなる。リモコンＩＤは、ＰＳＩ（Program Specific Information：番組特定情報）のＴＳ情報記述子に含まれているリモコンキー識別（remote_control_key_id）であり、リモコンに装備されるワンタッチボタンに対して放送事業者の主たるサービスを割り付けるための識別値である。また、サービスＩＤは、各サービスに割り当てられる識別値であるサービス識別（service_id）のことであって、地上波デジタル放送においては、ユニークな値である。また、サービスとは、放送事業者が編成する、スケジュール化された放送番組の連続をいう。
【００２０】
メモリ部１０３は、チャンネルスキャン部１０２によりスキャンされたチャンネル情報を一時的に記憶し、またチャンネルリスト作成部１０４により作成されたチャンネルリストを記憶する部分である。図２を用いて、メモリ部１０３に記憶されているチャンネル情報の具体例について説明する。図２は、一時的に記憶されたチャンネル情報の説明図である。図２に示すように、チャンネルスキャン部１０２のスキャン動作により得られたリモコンＩＤ、物理チャンネル、サービスＩＤ、および受信レベルを、それぞれ対応付けて記憶する。受信レベルは、チューナ部１０１において受信した放送波の電界強度で示される数値情報であって、ｄＢｍを単位とする数値情報である。
【００２１】
引き続き、図１に戻り、説明する。チャンネルリスト作成部１０４は、物理チャンネル、サービスＩＤ、およびリモコンＩＤに対応付けられた操作ボタンに割り付けられたチャンネル番号を、それぞれ対応付けたチャンネルリストを作成する部分であり、リモコンＩＤ判断部１０５、サービスＩＤ判断部１０６、および受信レベル判断部１０７を用いて、異なる物理チャンネルにおいてリモコンＩＤおよびサービスＩＤが一致するチャンネル情報が重複して登録されないように、チャンネルリストを作成する部分である。以下、リモコンＩＤ判断部１０５、サービスＩＤ判断部１０６、および受信レベル判断部１０７の動作について説明する。
【００２２】
リモコンＩＤ判断部１０５は、メモリ部１０３に一時的に記憶した物理チャンネル、サービスＩＤ、リモコンＩＤおよび受信レベルを対応付けて記憶したチャンネル情報の中でリモコンＩＤの照合を行い、互いにリモコンＩＤが一致するチャンネル情報が存在するか否かを判断する部分である。リモコンＩＤ判断部１０５が、メモリ部１０３に記憶されたチャンネル情報内にリモコンＩＤが一致するチャンネル情報が複数存在しないと判断した場合は、チャンネルリスト作成部１０４に通知し、チャンネルリスト作成部１０４はメモリ部１０３に一時的に記憶したチャンネル情報をチャンネルリストとしてメモリ部１０３に記憶させる。リモコンＩＤ判断部１０５が、メモリ部１０３に記憶されたチャンネル情報内にリモコンＩＤが一致するチャンネル情報が複数存在すると判断した場合は、サービスＩＤ判断部１０６にその旨を通知する。
【００２３】
サービスＩＤ判断部１０６は、リモコンＩＤ判断部１０５においてリモコンＩＤが一致すると判断されたチャンネル情報の中で、サービスＩＤの照合を行い、サービスＩＤが一致するチャンネル情報が複数存在しているか否かを判断する部分である。サービスＩＤ判断部１０６が、リモコンＩＤが一致すると判断されたチャンネル情報の中にサービスＩＤが一致するチャンネル情報が複数存在していないと判断した場合は、それぞれのチャンネル情報に対して異なるチャンネル番号を割り付けるために、ユーザが決定した一方のチャンネル情報に対してはリモコンＩＤで定められたチャンネル番号とは異なるチャンネル番号を割り付ける処理を行う。具体的には、サービスＩＤ判断部１０６は、一方のチャンネル情報に対してチャンネル番号を割り付ける場合、サービスＩＤに含まれる地域識別コードに基づいたエリア名をユーザに選択可能に表示させ、ユーザにより選択されたエリア名に対応したチャンネル情報を一のチャンネル番号に割り付けることを決定する。サービスＩＤ判断部１０６が、リモコンＩＤが一致すると判断されたチャンネル情報の中にサービスＩＤが一致するチャンネル情報が複数存在していたと判断した場合は、受信レベル判断部１０７にその旨を通知する。
【００２４】
受信レベル判断部１０７は、サービスＩＤ判断部１０６において、サービスＩＤが一致すると判断されたチャンネル情報の中で、チューナ部１０１により受信された受信レベルを判断し、この受信レベルに基づいて、受信レベルの高い一のチャンネル情報を決定し、このチャンネル情報に記述されている、一の物理チャンネルおよびこの物理チャンネルに対応付けられたリモコンＩＤおよびサービスＩＤを決定する部分である。
【００２５】
このように、チャンネルリスト作成部１０４は、リモコンＩＤ判断部１０５、サービスＩＤ判断部１０６、および受信レベル判断部１０７においてそれぞれ判断した結果から得られた物理チャンネルおよびサービスＩＤに基づいてチャンネルリストを作成する。
【００２６】
表示部１０８は、番組データを表示する部分である。操作部１０９は、ユーザの操作により、チャンネルリストに基づいてチャンネルの選局を受け付ける部分である。この操作部１０９により受け付けられ選局された物理チャンネルおよびサービスＩＤに基づいてチューナ部１０１で受信された番組データを表示部１０８は表示し、ユーザは表示された番組データを視聴することができる。
【００２７】
次に、上述のとおりに構成された移動機１００の動作について説明する。図３は、移動機１００の動作を示すフローチャートである。
【００２８】
チャンネルスキャン部１０２によるスキャン処理に先立って、メモリ部１０３の初期化が行われ（Ｓ１０１）、チャンネルスキャン部１０２によりＵＨＦ帯の１３チャンネルから順次スキャンが開始される（Ｓ１０２）。そして、チューナ部１０１が受信することができる物理チャンネルがチャンネルスキャン部１０２により設定され（Ｓ１０３）、チューナ部１０１による同期処理が行われる。チャンネルスキャン部１０２により、チューナ部１０１の同期が確立したと判断された場合（Ｓ１０４）、チャンネルスキャン部１０２により、受信された物理チャンネルに基づく放送波の受信レベルが計測される（Ｓ１０５）。
【００２９】
そして、物理チャンネルに基づく放送波に多重化され、放送されている番組配列情報（サービスＩＤ、リモコンＩＤなどを含む）が、チャンネルスキャン部１０２により取得され（Ｓ１０６）、取得された番組配列情報のうち少なくともサービスＩＤ、およびリモコンＩＤがチューナ部１０１で設定された物理チャンネルに対応付けてメモリ部１０３に記憶され、これら物理チャンネル、サービスＩＤ、およびリモコンＩＤとともに、チャンネルスキャン部１０２により計測された受信レベルが対応付けられてチャンネル情報としてメモリ部１０３に記憶される。
【００３０】
これら処理をＵＨＦ帯の６２チャンネルまで繰り返し行うため、現在スキャンした物理チャンネルがＵＨＦ帯の６２チャンネルであるかが、チャンネルスキャン部１０２により判断され（Ｓ１０８）、スキャンした物理チャンネルがＵＨＦ帯の６２チャンネルでないと判断された場合は、物理チャンネルのチャンネル数を一つ加算し（Ｓ１０９）、Ｓ１０３に戻って当該Ｓ１０３の処理が行われる。
【００３１】
このように、チャンネルスキャン部１０２により、ＵＨＦ帯の１３チャンネルから６２チャンネルまでのチャンネル情報が取得されメモリ部１０３に記憶されると、記憶されたチャンネル情報に基づいてチャンネルリストの作成が開始される（Ｓ１１０）。まず、メモリ部１０３に記憶されているチャンネル情報に基づいてリモコンＩＤの照合が、リモコンＩＤ判断部１０５により行われる（Ｓ１１１）。メモリ部１０３に記憶されているチャンネル情報の中でリモコンＩＤが重複しているチャンネル情報、すなわちメモリ部１０３に記憶されているチャンネル情報の中にリモコンＩＤが一致しているチャンネル情報が複数存在しているとリモコンＩＤ判断部１０５により判断された場合（Ｓ１１２）、リモコンＩＤが一致すると判断されたチャンネル情報に基づいて、サービスＩＤの照合がサービスＩＤ判断部１０６により行われる（Ｓ１１３）。
【００３２】
ここで、リモコンＩＤが一致すると判断されたチャンネル情報の中でサービスＩＤが重複していない、すなわち当該チャンネル情報の中にサービスＩＤが一致するチャンネル情報が存在していないとサービスＩＤ判断部１０６により判断された場合（Ｓ１１４）、それぞれのチャンネル情報に対して異なるチャンネル番号を割り付けるために、ユーザが決定した一方のチャンネル情報に対してはリモコンＩＤで定められたチャンネル番号とは異なるチャンネル番号を割り付ける処理を行う。具体的には、一方のチャンネル情報に対してチャンネル番号を割り付ける場合、サービスＩＤに含まれる地域識別コードに基づいたエリア名をユーザに選択可能に表示させる。ここでユーザにより選択されたエリア名に対応したチャンネル情報を一のチャンネル番号に割り付けることが、サービスＩＤ判断部１０６により決定され、当該決定されたサービスＩＤを含んだチャンネル情報がサービスＩＤ判断部１０６によりメモリ部１０３に記憶される（Ｓ１１５）。
【００３３】
また、リモコンＩＤが一致すると判断されたチャンネル情報の中でサービスＩＤが重複している、すなわち、当該チャンネル情報の中にサービスＩＤが一致しているチャンネル情報が複数存在しているとサービスＩＤ判断部１０６により判断された場合（Ｓ１１４）、受信レベル判断部１０７により、サービスＩＤが一致すると判断されたチャンネル情報の中で、受信レベルの高い一のチャンネル情報の判別が行われる（Ｓ１１６）。受信レベル判断部１０７により、受信レベルの一番高い一のチャンネル情報が選択され、決定される（Ｓ１１７）。
【００３４】
これらＳ１１１からＳ１１７の処理は、リモコンＩＤおよびサービスＩＤの重複がなくなるまで繰り返し行われ、リモコンＩＤおよびサービスＩＤの重複のないチャンネルリストが、チャンネルリスト作成部１０４により作成される（Ｓ１１８）。
【００３５】
以上のとおり、リモコンＩＤおよびサービスＩＤが重複しないように、移動機１００においてチャンネルリストが作成され、移動機１００のユーザは作成されたチャンネルリストを用いた選局操作を行うことができる。
【００３６】
なお、リモコンＩＤが重複していない場合でも、サービスＩＤが重複しているか否かが判断され、放送波の受信レベルに基づいていずれか一つのサービスＩＤが選択されるようにしても良い。すなわち、図３におけるＳ１１１およびＳ１１２が省略された動作が実行されるようにしても良い。
【００３７】
次に、本実施形態の移動機１００がチャンネルリストを作成する際の状況の一例について説明する。図４は、異なる放送波を出力する２つの基地局間に移動機１００が位置しているときの概念図である。
【００３８】
基地局２００および基地局３００は、地上波デジタル放送による放送波を出力する基地局であって、基地局２００の放送範囲である地域２００ａおよび基地局３００の放送範囲である地域３００ａの範囲に存在するテレビ受像機に対して、放送波を受信することができるように放送波を出力している。上述したとおり、放送波にはリモコンＩＤ、およびサービスＩＤが含まれており、放送地域によって、放送される番組データが異なることが通常であることから、基地局２００および基地局３００から出力されるリモコンＩＤ、およびサービスＩＤは、互いに異なる場合が通常である。
【００３９】
しかし、隣接した地域同士では、例えば基地局２００および基地局３００から出力されるリモコンＩＤ、およびサービスＩＤは、それぞれの一部において一致する場合がある。この一致する場合について図５および図６を用いて説明する。
【００４０】
図５は、基地局２００が出力している放送波のサービスＩＤ、およびリモコンＩＤの説明図である。図５で示すように、基地局２００は、物理チャンネルとして、１３チャンネル（Ｕ１３ｃｈ）〜１５チャンネル（Ｕ１５ｃｈ）が割り付けられており、それぞれのチャンネルに、リモコンＩＤおよびサービスＩＤが対応付けられている。
【００４１】
また、図６は、基地局３００が出力している放送波のサービスＩＤ、およびリモコンＩＤの説明図である。図６で示すように、基地局３００は、物理チャンネルとして２０チャンネル（Ｕ２０ｃｈ）〜２２チャンネル（Ｕ２２ｃｈ）が割り付けられており、それぞれのチャンネルに、リモコンＩＤおよびサービスＩＤが対応付けられている。
【００４２】
図５および図６の説明図から分かるように、基地局２００が出力する放送波の放送周波数である物理チャンネル“Ｕ１４ｃｈ”と、基地局３００が出力する放送波の放送周波数である物理チャンネル“Ｕ２１ｃｈ”とは、それぞれ対応付けられているリモコンＩＤおよびサービスＩＤが、それぞれリモコンＩＤ＝“４”、サービスＩＤ＝“０８００”で一致しており、異なる物理チャンネルで同一のリモコンＩＤおよびサービスＩＤが存在することが分かる。
【００４３】
このように物理チャンネルが異なっていても、チューナ部１０１を介してリモコンＩＤおよびサービスＩＤが一致している放送波を受信して、チャンネルリスト作成部１０４がチャンネルリストを作成しようとすると、リモコンＩＤに対応する操作ボタンに割り付けられたチャンネル番号にサービスＩＤを重複して記憶することになる。また、リモコンＩＤに対応する操作ボタンに割り付けられたチャンネル番号一つに対して一つの物理チャンネルおよび一つのサービスＩＤを割り付けなければならないため、同一のリモコンＩＤおよびサービスＩＤが、異なる物理チャンネルの放送波に含まれている場合、いずれかの物理チャンネルおよびサービスＩＤを決定することが必要である。
【００４４】
よって、このような場合には、上述した移動機１００の動作にしたがって、チャンネルリスト作成部１０４は、いずれかの一の物理チャンネルおよび一のサービスＩＤを決定することにより、適切なチャンネルリストを作成することができる。
【００４５】
図４〜図６の例においては、リモコンＩＤ判断部１０５により、重複しているリモコンＩＤに対応付けられたチャンネル情報が抽出される。具体的には、物理チャンネル“Ｕ１４ｃｈ”に対応するリモコンＩＤ“４”、サービスＩＤ“０８００”のチャンネル情報と、物理チャンネル“Ｕ２２ｃｈ”に対応するリモコンＩＤ“４”、サービスＩＤ“０８００”のチャンネル情報とが、抽出される。
【００４６】
そして、サービスＩＤ判断部１０６により、基地局２００から出力されている放送波の放送周波数である物理チャンネル“Ｕ１４ｃｈ”のサービスＩＤ“０８００”と、基地局３００から出力されている放送波の放送周波数である物理チャンネル“Ｕ２２ｃｈ”のサービスＩＤ“０８００”のサービスＩＤが一致していることが判断され、いずれのチャンネル情報が選択されるべきかが、受信レベル判断部１０７により受信レベルに基づいて判断され選択される。具体的には、受信レベル判断部１０７により受信レベルが高い方の物理チャンネルが選択され、チャンネルリスト作成部１０４により、当該選択された物理チャンネルおよびこの物理チャンネルに対応付けられているリモコンＩＤに基づいて決定されたチャンネル番号、並びにサービスＩＤがチャンネルリストとして登録されることになる。
【００４７】
次に、本実施携帯の移動機１００の作用効果について説明する。この移動機１００によれば、チューナ部１０１により受信された放送波の周波数を示す周波数情報である物理チャンネル、放送波に含まれ、放送波に多重化されている番組データを識別する識別情報であるサービスＩＤ、放送波に含まれ、視聴者による番組視聴時に識別情報であるサービスＩＤに対応した番組データを指定するための操作ボタンを特定するボタン情報であるリモコンＩＤ、および放送波の強度（電界強度）を示す受信レベル（または放送波の受信品質）を、物理チャンネルごとにチャンネル情報として抽出し、抽出された物理チャンネル、サービスＩＤ、およびリモコンＩＤに対応する操作ボタンに割り付けられたチャンネル番号をそれぞれ対応付けてチャンネルリストとしてメモリ部１０３に記憶し、抽出されたチャンネル情報の中でサービスＩＤが一致するチャンネル情報が抽出された場合、抽出された受信レベル（または放送波の受信品質）に基づいて、いずれか一つのチャンネル情報を決定して、このチャンネル情報に含まれている物理チャンネル、サービスＩＤおよびリモコンＩＤに対応する操作ボタンに割り付けられたチャンネル番号を互いに対応付けてチャンネルリストとしてメモリ部１０３に記憶してチャンネルリストを作成することができる。これにより、ユーザは、物理チャンネル、サービスＩＤおよびリモコンＩＤに対応する操作ボタンに割り付けられたチャンネル番号を含むチャンネルリストを登録してこのチャンネルリストを利用することができ、番組選局時における操作性を向上させることができる。さらに、放送波に含まれるサービスＩＤがそれぞれ重複して抽出された場合、受信レベル（または放送波の受信品質）に基づいて適切なサービスＩＤの一つを登録することができ、重複した情報の登録を防止することができ、ユーザによるチャンネル管理を容易なものとすることができる。
【００４８】
また、移動機１００は、サービスＩＤが一致するチャンネル情報が複数存在するか否かを判断することに先立って、リモコンＩＤが一致するチャンネル情報が複数存在するか否かを判断して、リモコンＩＤが一致するチャンネル情報が複数存在すると判断した場合、リモコンＩＤが一致すると判断されたチャンネル情報に基づいてサービスＩＤが一致するチャンネル情報が複数存在するか否かを判断するものである。これにより、リモコンＩＤが一致しているチャンネル情報が複数存在している場合は、さらに識別情報であるサービスＩＤが重複していないか否かを判断することで、リモコンＩＤおよびサービスＩＤが重複したチャンネル情報が登録されることを防止することができる。また、リモコンＩＤが一致して、サービスＩＤが重複していないチャンネル情報については、重複していないサービスＩＤごとに別々なチャンネル番号を割り付けることで、複数のサービスＩＤに対応したチャンネル番号の登録を可能とする。
【図面の簡単な説明】
【００４９】
【図１】本実施形態の移動機１００のブロック構成図である。
【図２】メモリ部１０３に記憶されているチャンネル情報の説明図である。
【図３】移動機１００の動作を示すフローチャートである。
【図４】異なる放送波を出力する２つの基地局間に移動機１００が位置しているときの概念図である。
【図５】基地局２００が出力している放送波に含まれている物理チャンネル、サービスＩＤ、およびリモコンＩＤの説明図である。
【図６】基地局３００が出力している放送波に含まれている物理チャンネル、サービスＩＤ、およびリモコンＩＤの説明図である。
【符号の説明】
【００５０】
１００…移動機、１０１ａ…アンテナ部、１０１…チューナ部、１０２…チャンネルスキャン部、１０３…メモリ部、１０４…チャンネルリスト作成部、１０５…リモコンＩＤ判断部、１０６…サービスＩＤ判断部、１０７…受信レベル判断部、１０８…表示部、１０９…操作部、２００…基地局、３００…基地局。
【図１】
2006295398.tif 000003
【図２】
2006295398.tif 000004
【図３】
2006295398.tif 000005
【図４】
2006295398.tif 000006
【図５】
2006295398.tif 000007
【図６】
2006295398.tif 000008